(57)【要約】【課題】複合機等の画像サーバにおいてＨＤＤの残量が不足した場合でも、大容量のＨＤＤを簡単に入れ替え、容易に継続して画像データを使用できるようにすることを目的とする。【解決手段】第一記憶手段に記憶されている画像データを、ネットワークを介して通信可能なデータ保持装置に退避させる退避手段と、第一記憶手段が、第一記憶手段より記憶領域の大きい第二記憶手段に入れ替えられると、退避させた画像データを、データ保持装置より受け取る受け取り手段と、受け取り手段で受け取った画像データを、第二記憶手段に転送する転送手段と、を有することによって前記課題を解決する。【選択図】図１５
2007329576.tif 000002
【特許請求の範囲】
【請求項１】
第一記憶手段に記憶されている画像データを、ネットワークを介して通信可能なデータ保持装置に退避させる退避手段と、
前記第一記憶手段が、前記第一記憶手段より記憶領域の大きい第二記憶手段に入れ替えられると、退避させた前記画像データを、前記データ保持装置より受け取る受け取り手段と、
前記受け取り手段で受け取った前記画像データを、前記第二記憶手段に転送する転送手段と、
を有することを特徴とする画像データ処理装置。
【請求項２】
前記退避手段は、前記画像データを当該画像データ処理装置でのみ復号化できる方法で暗号化し、前記データ保持装置に退避させ、
前記転送手段は、前記受け取り手段が受け取った暗号化された前記画像データを、復号化し、前記第二記憶手段に転送する
ことを特徴とする請求項１に記載の画像データ処理装置。
【請求項３】
前記退避手段が退避させる画像データに係る第一チェックサムを算出する第一チェックサム算出手段と、
前記第一チェックサム算出手段が算出した第一チェックサムを、第三記憶手段に記憶する記憶手段と、
前記転送手段は、前記受け取り手段が受け取った画像データに係る第二チェックサムを算出する第二チェックサム算出手段と、
前記第二チェックサム算出手段が算出した第二チェックサムと、前記第三記憶手段に記憶されている前記第一チェックサムと、を比較する比較手段と、
を更に有することを特徴とする請求項１又は２に記載の画像データ処理装置。
【請求項４】
画像データ処理装置における画像データ管理方法であって、
第一記憶手段に記憶されている画像データを、ネットワークを介して通信可能なデータ保持装置に退避させる退避ステップと、
前記第一記憶手段が、前記第一記憶手段より記憶領域の大きい第二記憶手段に入れ替えられると、退避させた前記画像データを、前記データ保持装置より受け取る受け取りステップと、
前記受け取りステップにおいて受け取った前記画像データを、前記第二記憶手段に転送する転送ステップと、
を有することを特徴とする画像データ管理方法。
【請求項５】
請求項４に記載の画像データ管理方法をコンピュータに実行させることを特徴とするプログラム。
【請求項６】
請求項５に記載のプログラムを記憶したことを特徴とするコンピュータ読み取り可能な記憶媒体。
【発明の詳細な説明】
【技術分野】
【０００１】
本発明は、画像データ処理装置及び画像データ管理方法に関する。
【背景技術】
【０００２】
近年のデジタル複合機は、画像データを保持し管理する画像サーバの機能を有している。そして、デジタル複合機内にハードディスクドライブ（以下、ＨＤＤという）等を装着し、ユーザからのリクエストによりＨＤＤに対して画像データを蓄積したり閲覧したりできるようになっている。
【０００３】
このような機器に搭載されているＨＤＤは、その容量が無限ではない。そのため、機器は、ＨＤＤ残量不足時にユーザに対してＨＤＤ残量不足を通知して不要な画像データを消去するように促して空き容量を確保することで機器を継続的に使用できるようにしている。
【０００４】
【特許文献１】特開２０００−３３２９４５号公報
【発明の開示】
【発明が解決しようとする課題】
【０００５】
一方で、近年「ｅ−文書法」等により、今まで紙により保持すべき書類に電子データを採用し、管理（レコードマネージメント）可能になってきている。その適用範囲は、金融、医療、商業、農業、漁業、等々の各種公式書類など広範囲に渡っており、今後ますます公式書類の電子化が加速するきっかけになっている。
【０００６】
このような電子データの書類は、その書類の種類により廃棄するまでの期間が規定されており、その期間が過ぎるまで改変や消去が禁止若しくは抑制される必要がある。
【０００７】
このような電子データをデジタル複合機の画像サーバで管理しようとすると、通常の画像サーバと同様にＨＤＤの残量不足の問題が生じる。しかし、通常の画像サーバに格納されるデータと異なり、一定期間の保存が必須であり簡単に消去できないため、ユーザに消去をさせることはできない。
【０００８】
また、使用環境を検討して残量が不足しないようにあらかじめ大容量のＨＤＤを搭載することも考えられるが、その分コストがかかってしまうし、それでも不足してしまう可能性がある。
【０００９】
本発明は前記の問題点に鑑みなされたもので、複合機等の画像サーバにおいてＨＤＤの残量が不足した場合でも、大容量のＨＤＤを簡単に入れ替え、容易に継続して画像データを使用できるようにすることを目的とする。
【課題を解決するための手段】
【００１０】
そこで、前記問題を解決するため、本発明は、第一記憶手段に記憶されている画像データを、ネットワークを介して通信可能なデータ保持装置に退避させる退避手段と、前記第一記憶手段が、前記第一記憶手段より記憶領域の大きい第二記憶手段に入れ替えられると、退避させた前記画像データを、前記データ保持装置より受け取る受け取り手段と、前記受け取り手段で受け取った前記画像データを、前記第二記憶手段に転送する転送手段と、を有することを特徴とする。
【００１１】
係る構成によれば、例えば、ネットワークを介して接続されたファイルサーバに、消去禁止領域の画像データを一時退避する。そして、消去禁止領域を含むディスクが大容量ディスクに入れ替えられて、初期化された後、ファイルサーバに退避した画像データを入れ替えたディスクに書き戻す。よって、複合機等の画像サーバにおいてＨＤＤの残量が不足した場合でも、大容量のＨＤＤを簡単に入れ替え、容易に継続して画像データを使用できるようにすることができる。
【００１２】
ここで、第一記憶手段とは、例えば、後述するＨＤＤ１２７の消去禁止画像データ領域等に対応する。また、第二記憶手段とは、例えば、後述するディスク交換されたＨＤＤ１２７の消去禁止画像データ領域等に対応する。また、データ保持装置とは、例えば、後述するファイルサーバ１５１等に対応する。
【００１３】
また、前記問題を解決するため、本発明は、画像データ管理方法、プログラム及び記憶媒体としてもよい。
【発明の効果】
【００１４】
本発明によれば、合機等の画像サーバにおいてＨＤＤの残量が不足した場合でも、大容量のＨＤＤを簡単に入れ替え、容易に継続して画像データを使用できるようにすることができる。
【発明を実施するための最良の形態】
【００１５】
以下、本発明の実施形態について図面に基づいて説明する。
【００１６】
図１は、リーダ部１及びプリンタ部２を含む複写機の一例の断面図である。
（リーダ部１の説明）
原稿給送装置１０１上に積載された原稿は、１枚ずつ順次原稿台ガラス面１０２上に搬送される。原稿がガラス面１０２の所定位置へ搬送されると、スキャナ部のランプ１０３が点灯、且つスキャナーユニット１０４が移動して原稿を照射する。原稿の反射光は、ミラー１０５、１０６、レンズ１０８を介してＣＣＤイメージ・センサー部１０９（以下ＣＣＤと言う）に入力される。
【００１７】
図２は、リーダ部１の信号処理構成の一例を示す回路ブロック図である。また、図３は、複写機の機能構成の一例を示すブロック図である。ＣＣＤ１０９に照射された原稿の反射光は、ＣＣＤ１０９で光電変換され、レッド、グリーン、ブルーの各色の電気信号に変換される。ＣＣＤ１０９からのカラー情報は、次の増幅器１１０Ｒ、１１０Ｇ、１１０ＢでＡ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤの感度ムラが補正される。シェーディング回路１１２からの信号は、Ｙ信号生成・色検出回路１１３に入力される。
【００１８】
Ｙ信号生成・色検出回路１１３は、シェーディング回路１１２からの信号を下記の式で演算を行い、Ｙ信号を得る。
Ｙ＝０．３Ｒ＋０．６Ｇ＋０．１Ｂ
【００１９】
更に、Ｙ信号生成・色検出回路１１３は、Ｒ、Ｇ、Ｂの信号から７つの色に分離し各色に対する信号を出力する色検出回路を有する。Ｙ信号生成・色検出回路１１３からの出力信号は、変倍・リピート回路１１４に入力される。スキャナーユニット１０４の走査スピードにより副走査方向の変倍を、変倍・リピート回路１１４により主走査方向の変倍を行う。また変倍・リピート回路１１４により複数の同一画像を出力することが可能である。輪郭・エッジ強調回路１１５は、変倍・リピート回路１１４からの信号の高周波成分を強調することによりエッジ強調及び輪郭情報を得る。輪郭・エッジ強調回路１１５からの信号は、マーカエリア判定・輪郭生成回路１１６と、パターン化・太らせ・マスキング・トリミング回路１１７に入力される。
【００２０】
マーカエリア判定・輪郭生成回路１１６は、原稿上の指定された色のマーカペンで書かれた部分を読みとりマーカの輪郭情報を生成し、つぎのパターン化・太らせ・マスキング・トリミング回路１１７でこの輪郭情報から太らせやマスキングやトリミングを行う。また、パターン化・太らせ・マスキング・トリミング回路１１７は、Ｙ信号生成・色検出回路１１３からの色検出信号によりパターン化を行う。
【００２１】
パターン化・太らせ・マスキング・トリミング回路１１７からの出力信号は、プリンタ部２に出力する場合は、後述する画像データセレクタ回路１１８により選択される。そして、レーザドライバ回路１１９に入力され、レーザドライバ回路１１９は、各種処理された信号を、レーザを駆動するための信号に変換する。レーザドライバ１１９の出力信号は、プリンタ２に入力され、可視像として画像形成が行われる。
【００２２】
画像メモリ１２０は、画像データセレクタ回路１１８により送られた画像データをＣＰＵ１２２の指示により画像メモリ１２０の指定位置に後述する方法で、記憶及び読み出しを行い、回転処理、画像をメモリ上で合成する処理を行っている。
【００２３】
コネクタ１２１は、装置外部と通信を行うためのインタフェースで、イーサネット（登録商標）やＵＳＢ、ＩＥＥＥ１３９４等で、外部デバイスやＰＣ、他の装置等と接続される。
【００２４】
ＣＰＵ１２２はリーダ部１を制御するもので、制御プログラム、エラー処理プログラム等を記憶するＲＯＭ１２４と、各種プログラムのワークエリア等のために利用されるＲＡＭ１２５と、各種タイマー制御部等とから構成される。また、画像メモリ１２０に蓄積された画像データの中で必要なデータはＣＰＵ１２２の指示により、圧縮／伸張１２６を通して圧縮され、ＨＤＤ１２７に蓄積される。また、ＨＤＤ１２７に記憶された画像データを、伸張器１２６を通してＣＰＵ１２２の指示により画像メモリ上に展開することも可能である。
【００２５】
（操作部１２３の説明）
操作部１２３はリーダ部１の画像処理に対する画像編集内容、コピー枚数等の画像動作を指示する各種キー群と、操作時の内容を表示する表示部等とを有している。図４は、操作部１２３の一例を示す図である。この操作部１２３には、各種キーと、液晶表示装置からなるドットマトリックスで構成される液晶表示部４−２５０とが配置されている。
【００２６】
液晶表示部４−２５０はタッチパネルであり、キー表示部を押下することにキー入力が出来る。
【００２７】
ハードキー群４−２４０は、各種ハードキーであり、スタートキー４−２４１は、コピーをスタートするためのキーである。また、復帰キー４−２４６は、設定モードを標準状態に復帰するためのキーである。
【００２８】
また、キー群４−２４５は、コピー枚数、ズーム倍率等を入力させる０〜９までのテンキーと、その入力をクリアするためのクリアキーとである。このキー郡４−２４５で入力されたコピー部数は、液晶表示部４−２５３に表示される。ガイドキー４−２４７は、各機能のガイド画面を表示させるためのキーである。ユーザーモードキー４−２４８は、機器の各種設定を行うためのキーである。
【００２９】
液晶表示部４−２５０は、装置の状態、コピー枚数、倍率、選択用紙及び各種操作画面を表示する。液晶表示部４−２５０には、タッチキーも表示される。キー４−２５２は、給紙段及びオート用紙選択を選択するキーであり、このキーを押下すると  給紙段選択画面（図示しない）が表示される。この画面で給紙段を選択しＯＫキーを押下すると、この画面は閉じ、表示部４−２５１に表示される。キー４−２５８・キー４−２６２は濃度調整を行うためのキーで、これにより調整される濃度は、表示部４−２６３に表示される。キー４−２５９は、自動濃度調整機能をＯＮ／ＯＦＦするためのキーとその表示部である。
【００３０】
キー４−２５４、キー４−２５５はそれぞれ等倍、縮小／拡大を設定するキーである。キー４−２５５を押下すると拡大縮小設定画面（図示しない）が表示され、拡大縮小を詳細に設定できる。倍率は、液晶表示部４−２６４にも表示される。
【００３１】
キー４−２６０は応用モードキーであり、キー４−２６０を押下すると、各種モード設定画面に移行する。
【００３２】
（画像メモリ１２０の説明）
図５及び図６を用いて画像の記憶方法及び読み出し方法について説明する。図５は、画像の記憶方法及び読み出し方法の一例を示す図である。また、図６は、画像メモリ１２０のレイアウトの一例を示す図である。
【００３３】
図５（１）は、画像メモリの１つの記憶容量を示したもので、本実施形態では、６００ｄｐｉ基準でＡ３サイズの記憶ができ、縦７０１５ｘ横９９２０ビットで構成される。続いて図５（２）を用いて原稿画像を画像メモリに記憶する場合の例を示す。図５（２ａ）に示されるように、原稿給送装置１０１上に積載された原稿は、矢印の方向に順次読み込まれる。
【００３４】
図５（２ｂ）に示されるように（０、０）アドレスをスタート位置にＸ方向のカウントアップ、Ｙ方向のカウントアップを指定して、先ず１ライン目が読み込まれると、Ｙ方向のカウンタが（０、７０１５）方向に順に書き込まれる。次に２ライン目が読み込まれると、Ｘ方向のカウンタがアップされ（１、０）アドレスから（１、７０１５）アドレス方向に順に書き込まれる。次に３ライン目が読み込まれると、Ｘ方向のカウンタがアップされ（２、０）アドレスから（２、７０１５）アドレスまで書き込まれる。この様に読み込み、書き込みを繰り返して（４９６０、７０１５）まで書き込まれる。
【００３５】
次に図５（２）に示したような方法でメモリに書き込まれた画像データを読み出す処理を図５（３）及び図５（４）を用いて説明する。複写機は、図５（３）に示されるデータを、図５（３ａ）に示す様に先ず、１ライン目は、（４９６０、０）アドレスをスタート位置に、Ｘカウンタを順にカウントダウン、Ｙ方向のカウンタをアップに指定する。そして、複写機は、（０、０）方向にＸカウンタを順にダウンしながら読み出す。次に複写機は、Ｙカウンタをアップさせ、２ライン目の読み出しを行い、（４９６０、１）アドレスから（０、１）の方向に読み出し、順次このように読み出す。このことによって、図５（３ｂ）の画像を読み出すことができる。
【００３６】
複写機は、図５（４）で示されるデータを、（４ｂ）に示す様に先ず１ライン目は（０、０）のアドレスをスタート位置にし、Ｘ方向のカウンタをアップ、Ｙ方向のカウンタをダウンに指定して（０、７０１５）の方向にＹカウンタを順次アップしながら読み出す。  次に複写機は、Ｘカウンタをアップさせ、２ライン目の読み出しを行い、（１、０）アドレスから（１、７０１５）方向に読み出す。順次この様に読み出すことにより、（４ｂ）の画像を読み出すことができる。
【００３７】
また、複写機は、図５（４ｃ）に示すようにまず１ライン目は（４９６０、７０１５）アドレスをスタート位置にＹ方向のカウンタをカウントダウンし、（４９６０、０）まで順次読み出す。複写機は、２ライン目はＸカウンタをカウントダウンさせ、（４９５９、７０１５）からＹカウンタをカウントダウンし、（４９５９、０）まで順読み出す。順次このように読み出すことにより（４ｄ）の１８０度回転した画像を読み出すことができる。
【００３８】
図６の画像メモリについて説明する。複写機が、図５（５ａ）、図５（５ｂ）のような個々に記憶された画像を読み出し、画像メモリの所望の位置に画像を書き込むことにより図５（５ｃ）に示すように別々の原稿画像をメモリ上で合成することができる。
【００３９】
（ＨＤＤ１２７の説明）
図７は、画像／管理データ蓄積用のＨＤＤ１２７の概念図である。ＣＰＵ１２２に指示に基づき、画像／管理データは、圧縮／伸張１２６を介してＨＤＤ１２７に格納される。このとき圧縮／伸張１２６が圧縮用にメモリが必要な場合は、図６に示す符号化用テンポラリ１若しくは符号用テンポラリ２を一時使用し、符号化したデータをＨＤＤ１２７に蓄積する。
【００４０】
ＨＤＤ１２７は図７に示すように、領域を分けて使用する。ユーザＢＯＸ領域、管理データ領域は、ファイルシステムによって管理されており、ファイル単位のアクセスが可能ある。ユーザＢＯＸ領域は、ユーザＢＯＸ機能を実現するための、ファイル名／ユーザ名等がＢＯＸ毎に記載されたファイルが格納されている。管理データ領域は、制御プログラムの他、消去禁止画像の管理用のデータが蓄積されている。
【００４１】
画像データ領域、一時データ領域、消去禁止画像データ領域は、画像フォーマット専用のファイルシステムが適用されており、画像のみの入出力が可能である。画像データ領域は、ユーザＢＯＸの画像データが蓄積されている。一時データ領域は、一時的に使用される画像データ領域で電源断保証されない領域であり、コピー機能等に用いられる。消去禁止画像データ領域は、消去禁止画像データが蓄積されている。
【００４２】
（プリンタ部２の説明）
図１を参照しながらプリンタ部２の構成及び動作について説明する。プリンタ部２に入力された画像信号は、露光制御部にて変調された光信号に変換されて感光体を照射する。照射光によって感光体上に作られた潜像は現像器によって現像される。現像器の先端とタイミングを併せて転写紙積載部２０４、若しくは２０５より転写紙が搬送され、転写部において、現像された像が転写される。転写された像は定着部２０７において転写紙に定着された後、排紙部より装置外部に排出される。
【００４３】
排紙部から出力された転写紙は、製本ユニット２３０に受け渡される。製本ユニット２３０は、処理内容により転写紙の進行方向を変更することにより後処理を行う。パンチ機能が働いている場合は、パンチユニット２９０においてパンチ穴あけを行うために方向変更材２３２、２３５を制御し、パンチユニット２９０に導く。同様にステイプル機能が働いている場合も、ステイプルユニット２８０においてステイプルを行うために、方向変更材２３２、２３５を制御する。ステイプルユニット２８０は、ステイプルの種類に応じたステイプルを行う。
【００４４】
（消去禁止画像データ領域への登録処理の説明）
図８から図１０の操作画面と、図１１のフローチャートとを使用して、画像データを消去禁止画像データ領域に登録する処理について説明する。
【００４５】
ユーザが、操作画面を操作して、ＨＤＤ１２７の画像データ領域に登録済みの画像データを選択し、レコードマネージメントの対象にさせる指示を行う。すると、複写機は、操作画面に図８の表示を行い、ユーザに対して登録する期間を設定するために、用途又は登録期間の指定を促す（Ｓ１７０１）。
【００４６】
用途が選択された場合には、複写機は、操作画面に図９の表示を行い、ユーザに登録済みの用途から用途の選択を促す（Ｓ１７０３）。期間が選択された場合には、複写機は、操作画面に図１０の表示を行い、ユーザに登録期間の入力を促す（Ｓ１７０５）。ユーザが用途又は期間を正常に入力した場合には、複写機は、指定された画像データをＨＤＤ１２７の画像データ領域から消去禁止画像データ領域に移動し、画像データの管理情報にユーザが入力した情報を付加する。
【００４７】
（消去禁止画像データ領域を交換する処理の説明）
図１２から図１３の操作画面と、図１４のシステム構成の一例を示すブロック図及び図１５のフローチャートを使用して、消去禁止画像データ領域が不足した場合の処理について説明する。
【００４８】
画像データ領域から消去禁止画像データ領域に移動する処理（Ｓ１７０６）の際に、消去禁止画像データ領域の残容量が一定量（例えば１０％）を下回ると、複写機は、操作画面に図１２の表示を行い、ユーザに対して保存領域の増設を促す。
【００４９】
ユーザ若しくはサービスマンが保存領域の増設操作を開始すると、複写機は、操作画面に図１３の表示を行い、増設の種類の選択を促す。ユーザ若しくはサービスマンが「ディスク交換」を選択した場合、複写機は、ネットワーク１５２によって接続された外部のファイルサーバ１５１を使用するため、そのサーバの種類もユーザ若しくはサービスマンに選択させる。「ディスク増設」では、ディスクを追加して作業を進める（Ｓ１８０７）もので、本実施形態では特に説明しない。
【００５０】
操作画面においてディスク交換が選択されると、複写機は、選択されたファイルサーバの種類に応じてファイルサーバとの接続を行う（Ｓ１８０２）。選択可能なファイルサーバの種類として、ＳＭＢ、ＦＴＰ  、ＮＦＳを挙げているが、他のファイルサーバでも問題ない。なお、ここで、ＳＭＢとは、Ｓｅｒｖｅｒ  Ｍｅｓｓａｇｅ  Ｂｌｏｃｋの略である。また、ＦＴＰとは、Ｆｉｌｅ  Ｔｒａｎｓｆｅｒ  Ｐｒｏｔｏｃｏｌの略である。また、ＮＦＳとは、Ｎｅｔｗｏｒｋ  Ｆｉｌｅ  Ｓｙｓｔｅｍの略である。また、ファイルサーバごとに接続のための設定項目が異なるが、それらの詳細については本実施形態では重要でないため、特に説明しない。
【００５１】
ファイルサーバとの接続が完了した時点で、複写機は、消去禁止画像データ領域の画像データを取得して、ファイルサーバへの転送（又は退避）を開始する（Ｓ１８０３）。複写機は、転送中は、操作画面に図１６の表示を行い、進捗状況をユーザ等に知らせる。なお、転送が無事に完了した場合、消去禁止画像データ領域のデータを消去するように構成するのが望ましい。このように、通常使用時は消去禁止されているデータ領域であるが、ディスク交換時に限って消去することにより、取り外されたディスクから情報漏洩する危険性を低減することができる。
【００５２】
その後、複写機は、操作画面に図１７の表示を行い、電源を落としてディスクを交換するよう、ユーザ等を促す（Ｓ１８０４）。ディスクが交換された後に電源が再投入されると、複写機はディスクが交換されたことを検知し、ディスクの初期化を行い、ファイルサーバとの接続を行う。そして、複写機は、ファイルサーバから画像データを読み出し、新しいディスクに復元する（Ｓ１８０５）。全データの復元が完了したら、複写機は、ファイルサーバ上に退避した画像データを消去し、通常の動作を継続する。
【００５３】
複写機は、データをより正確に復元するために、復元データの整合チェックを行ってもよい。その場合、複写機は、データ退避時（Ｓ１８０３）に、転送するデータのチェックサムを算出し、不揮発性メモリ（図示しない）に保持する。そして、複写機は、データ復元時（Ｓ１８０５）に、転送データのチェックサムを算出し、不揮発性メモリに保持した値と比較する。一致しなかった場合には、複写機は、退避データの消去（Ｓ１８０６）は行わず、再度、データ復元（Ｓ１８０５）を行う。
【００５４】
チェックサム値の算出方法としては、例えばＳＨＡ−１、ＭＤ５等の公知の暗号学的ハッシュ関数の他、各種の方法があるが、本実施形態では特に限定しない。
【００５５】
（転送時に暗号・復号化する処理の説明）
図１８の操作画面を使用して、画像データ転送時に暗号及び復号する処理について説明する。転送する画像データの暗号化処理はＣＰＵ１２２内でＲＡＭ１２５を使用して行われる。まず、複写機は、機器に固有の個体番号等を使用して暗号鍵を生成する。そして、複写機は、画像データを、その暗号鍵を使用して所定の暗号化方式で暗号化する。
【００５６】
暗号化方式としては、共通鍵暗号方式を採用する。共通鍵暗号方式は、適当な長さの文字列（ブロック）ごとに同じ鍵で暗号化するブロック暗号と、文字列又はビットごとに鍵を変えていくストリーム暗号に分けることができる。ブロック暗号には、３ＤＥＳ（ｄａｔａ  ｅｎｃｒｙｐｔｉｏｎ  ｓｔａｎｄａｒｄ）や、ＡＥＳ（Ａｄｖａｎｃｅｄ  Ｅｎｃｒｙｐｔｉｏｎ  Ｓｔａｎｄａｒｄ）等がある。また、ストリーム暗号には、無限周期の乱数列を１回限りの使い捨て鍵として用いるバーナム暗号等があるが、本実施形態においては特に暗号方式については限定しない。
【００５７】
暗号化して画像データをファイルサーバ上に退避させた場合、複写機は、データ復元時に、復号化を行い、新しいディスクに復号化した画像データを転送する（Ｓ１８０５）。
【００５８】
以上、上述したように、本実施形態では、ネットワークを介して複写機と接続されたファイルサーバを用意する。そして、レコードマネージメント用に使用されるＨＤＤが残量不足になった場合、複写機は、そのファイルサーバに消去禁止画像データ領域に格納されている画像データを退避させ、大容量のＨＤＤを入れ替えた後に、退避させたデータを書き戻す。このことによって、機器を継続して使用できる、又は容易に継続して画像データを使用できるようになる。
【００５９】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００６０】
【図１】リーダ部１及びプリンタ部２を含む複写機の一例の断面図である。
【図２】リーダ部１の信号処理構成の一例を示す回路ブロック図である。
【図３】複写機の機能構成の一例を示すブロック図である。
【図４】操作部１２３の一例を示す図である。
【図５】画像の記憶方法及び読み出し方法の一例を示す図である。
【図６】画像メモリ１２０のレイアウトの一例を示す図である。
【図７】画像／管理データ蓄積用のＨＤＤ１２７の概念図である。
【図８】操作画面の一例を示す図（その１）である。
【図９】操作画面の一例を示す図（その２）である。
【図１０】操作画面の一例を示す図（その３）である。
【図１１】画像データを消去禁止画像データ領域に登録する処理の一例を示すフローチャートである。
【図１２】操作画面の一例を示す図（その４）である。
【図１３】操作画面の一例を示す図（その５）である。
【図１４】システム構成の一例を示すブロック図である。
【図１５】消去禁止画像データ領域が不足した場合のデータ退避、及びデータ復元処理の一例を示すフローチャートである。
【図１６】操作画面の一例を示す図（その６）である。
【図１７】操作画面の一例を示す図（その７）である。
【図１８】操作画面の一例を示す図（その８）である。
【符号の説明】
【００６１】
１２０  画像メモリ
１２１  コネクタ
１２２  ＣＰＵ
１２３  操作部
１２４  ＲＯＭ
１２５  ＲＡＭ
１２７  ＨＤＤ
【図１】
2007329576.tif 000003
【図２】
2007329576.tif 000004
【図３】
2007329576.tif 000005
【図４】
2007329576.tif 000006
【図５】
2007329576.tif 000007
【図６】
2007329576.tif 000008
【図７】
2007329576.tif 000009
【図８】
2007329576.tif 000010
【図９】
2007329576.tif 000011
【図１０】
2007329576.tif 000012
【図１１】
2007329576.tif 000013
【図１２】
2007329576.tif 000014
【図１３】
2007329576.tif 000015
【図１４】
2007329576.tif 000016
【図１５】
2007329576.tif 000017
【図１６】
2007329576.tif 000018
【図１７】
2007329576.tif 000019
【図１８】
2007329576.tif 000020